【手続補正書】
【提出日】平成27年7月16日(2015.7.16)
【手続補正１】
【補正対象書類名】特許請求の範囲
【補正対象項目名】全文
【補正方法】変更
【補正の内容】
【特許請求の範囲】
【請求項１】
端末（１００１）に対するマルチメディア・ブロードキャスト・マルチキャスト・サービス（ＭＢＭＳ）の継続性をサポートする、移動通信ネットワークの基地局（９０１）における方法であって、
前記基地局（９０１）が、前記端末（１００１）がキャリアアグリゲーションをサポートする帯域の組み合わせについて前記基地局（９０１）に通知するための情報要素を、前記端末から（１００１）受信する工程（Ｓ７０１）と、
前記基地局（９０１）が、前記受信した情報要素から前記端末（１００１）のＭＢＭＳ受信能力を導出する工程（Ｓ７０３）と、
前記端末（１００１）が少なくとも１つのＭＢＭＳを受信可能となるように、前記基地局（９０１）が前記端末（１００１）のサービングセルとして設定可能な１つ以上のキャリアを、前記基地局（９０１）が決定する工程（Ｓ７０４）と、
を含み、
前記端末（１００１）は、前記情報要素に従って前記端末（１００１）のサービングセルとして設定可能な任意のキャリアでのＭＢＭＳの受信をサポートすることを特徴とする方法。
【請求項２】
前記基地局（９０１）が、前記端末（１００１）から、前記端末（１００１）が関心のある少なくとも１つのＭＢＭＳと、前記端末（１００１）が関心のあるＭＢＭＳの少なくとも１つのキャリアの両方、或いは、いずれかの表示を取得する工程（Ｓ７０５）をさらに含むことを特徴とする請求項１に記載の方法。
【請求項３】
前記基地局（９０１）は、前記端末が（１００１）関心のある前記少なくとも１つのＭＢＭＳを前記端末（１００１）が受信できる様に、前記決定したキャリアの数及び前記受信した表示に基づき前記端末（１００１）のサービングセルとして少なくとも１つのキャリアを設定する（Ｓ７０６）ことを特徴とする請求項２に記載の方法。
【請求項４】
前記基地局（９０１）は、前記端末（１００１）が非サービングセルから前記少なくとも１つのＭＢＭＳを受信できる様に、前記端末（１００１）のサービングセルとして前記少なくとも１つのキャリアを設定することを特徴とする請求項１から３のいずれか１項に記載の方法。
【請求項５】
前記基地局（９０１）は、前記端末（１００１）がサービングセルから前記少なくとも１つのＭＢＭＳを受信できる様に、前記端末（１００１）のサービングセルとして前記少なくとも１つのキャリアを設定することを特徴とする請求項１から３のいずれか１項に記載の方法。
【請求項６】
前記基地局（９０１）は、発展型ノードＢであることを特徴とする請求項１から５のいずれか１項に記載の方法。
【請求項７】
前記情報要素は、ロングタームエボリューション（ＬＴＥ）のＳｕｐｐｏｒｔｅｄＢａｎｄＣｏｍｂｉｎａｔｉｏｎ  ＩＥであることを特徴とする請求項１から６のいずれか１項に記載の方法。
【請求項８】
前記基地局（９０１）が、前記端末（１００１）が前記情報要素に従いサービングセルとして設定可能な任意のキャリアでのＭＢＭＳの受信をサポートすることの明示的な表示を前記端末から取得する工程（Ｓ７０２）をさらに含むことを特徴とする請求項１から７のいずれか１項に記載の方法。
【請求項９】
端末に対するマルチメディア・ブロードキャスト・マルチキャスト・サービス（ＭＢＭＳ）の継続性をサポートする、前記端末（１００１）における方法であって、
前記端末がキャリアアグリゲーションをサポートする帯域の組み合わせについて基地局（９０１）に通知する情報要素を、前記基地局（９０１）に送信する工程（Ｓ８０１）を含み、
前記端末（１００１）は、前記情報要素に従って前記端末（１００１）のサービングセルとして設定可能な任意のキャリアでのＭＢＭＳの受信をサポートすることを特徴とする方法。
【請求項１０】
前記端末（１００１）が、前記端末が関心のある少なくとも１つのＭＢＭＳと、前記端末が関心のあるＭＢＭＳの少なくとも１つのキャリアの両方、或いは、いずれかを、前記基地局（９０１）に表示する工程（Ｓ８０２）をさらに含むことを特徴とする請求項９に記載の方法。
【請求項１１】
前記端末（１００１）は、非サービングセルから前記少なくとも１つのＭＢＭＳを受信することを特徴とする請求項９又は１０に記載の方法。
【請求項１２】
前記端末（１００１）は、サービングセルから前記少なくとも１つのＭＢＭＳを受信することを特徴とする請求項９又は１０に記載の方法。
【請求項１３】
前記情報要素は、ロングタームエボリューション（ＬＴＥ）のＳｕｐｐｏｒｔｅｄＢａｎｄＣｏｍｂｉｎａｔｉｏｎ  ＩＥであることを特徴とする請求項９から１２のいずれか１項に記載の方法。
【請求項１４】
前記情報要素に従いサービングセルとして設定可能な任意のキャリアでのＭＢＭＳの受信を前記端末（１００１）がサポートすることを、前記端末（１００１）が、前記基地局（９０１）に明示的に表示する工程（Ｓ８０３）をさらに含むことを特徴とする請求項９から１３のいずれか１項に記載の方法。
【請求項１５】
移動通信ネットワークの基地局（９０１）であって、
請求項１から８のいずれか１項に記載の方法を実行する様に構成されていることを特徴とする基地局。
【請求項１６】
移動通信ネットワークの端末（１００１）であって、
請求項９から１４のいずれか１項に記載の方法を実行する様に構成されていることを特徴とする端末。
【請求項１７】
端末（１００１）に対するマルチメディア・ブロードキャスト・マルチキャスト・サービス（ＭＢＭＳ）の継続性をサポートする、移動通信ネットワークの基地局（９０１）であって、
前記端末（１００１）がキャリアアグリゲーションをサポートする帯域の組み合わせについて前記基地局（９０１）に通知する情報要素を、前記端末（１００１）から受信する受信機（９０３）と、
前記受信した情報要素から前記端末（１００１）のＭＢＭＳ受信能力を導出し、前記端末が少なくとも１つのＭＢＭＳを受信可能となるように、前記端末（１００１）のサービングセルとして前記基地局（９０１）が設定可能な１つ以上のキャリアを決定するコントローラ（９０６）と、
を備えており、
前記端末（１００１）は、前記情報要素に従って前記端末（１００１）のサービングセルとして設定可能な任意のキャリアでのＭＢＭＳの受信をサポートすることを特徴とする基地局。
【請求項１８】
前記基地局（９０１）は、前記端末（１００１）から、前記端末（１００１）が関心のある少なくとも１つのＭＢＭＳと、前記端末（１００１）が関心のあるＭＢＭＳの少なくとも１つのキャリアの両方、或いは、いずれかの表示を取得する様に構成されていることを特徴とする請求項１７に記載の基地局。
【請求項１９】
前記コントローラ（９０６）は、前記端末が関心のある前記少なくとも１つのＭＢＭＳを前記端末（１００１）が受信できる様に、前記決定したキャリアの数及び前記受信した表示に基づき前記端末のサービングセルとして少なくとも１つのキャリアを設定する様に構成されていることを特徴とする請求項１８に記載の基地局。
【請求項２０】
前記コントローラ（９０６）は、前記端末（１００１）が非サービングセルから前記少なくとも１つのＭＢＭＳを受信できる様に、前記端末（１００１）のサービングセルとして前記少なくとも１つのキャリアを設定する様に構成されていることを特徴とする請求項１７から１９のいずれか１項に記載の基地局。
【請求項２１】
前記コントローラ（９０６）は、前記端末（１００１）がサービングセルから前記少なくとも１つのＭＢＭＳを受信できる様に、前記端末（１００１）のサービングセルとして前記少なくとも１つのキャリアを設定する様に構成されていることを特徴とする請求項１７から１９のいずれか１項に記載の基地局。
【請求項２２】
前記基地局（９０１）は、発展型ノードＢであることを特徴とする請求項１７から２１のいずれか１項に記載の基地局。
【請求項２３】
前記情報要素は、ロングタームエボリューション（ＬＴＥ）のＳｕｐｐｏｒｔｅｄＢａｎｄＣｏｍｂｉｎａｔｉｏｎ  ＩＥであることを特徴とする請求項１７から２１のいずれか１項に記載の基地局。
【請求項２４】
前記基地局（９０１）は、前記端末（１００１）が前記情報要素に従いサービングセルとして設定可能な任意のキャリアでのＭＢＭＳの受信をサポートすることの明示的な表示を前記端末（１００１）から取得する様に構成されていることを特徴とする請求項１７から２１のいずれか１項に記載の基地局。
【請求項２５】
移動通信ネットワークの端末（１００１）に対するマルチメディア・ブロードキャスト・マルチキャスト・サービス（ＭＢＭＳ）の継続性をサポートする前記端末（１００１）であって、
前記端末がキャリアアグリゲーションをサポートする帯域の組み合わせについて基地局（９０１）に通知する情報要素を、前記基地局（９０１）に送信する送信機（１００３）を備えており、
前記端末（１００１）は、前記情報要素に従って前記端末（１００１）のサービングセルとして設定可能な任意のキャリアでのＭＢＭＳの受信をサポートすることを特徴とする端末。
【請求項２６】
前記端末（１００１）は、前記端末（１００１）が関心のある少なくとも１つのＭＢＭＳと、前記端末（１００１）が関心のあるＭＢＭＳの少なくとも１つのキャリアの両方、或いは、いずれかを、前記基地局（９０１）に表示する様に構成されていることを特徴とする請求項２５に記載の端末。
【請求項２７】
前記端末（１００１）は、非サービングセルから前記少なくとも１つのＭＢＭＳを受信する受信機（１００４）を備えていることを特徴とする請求項２５又は２６に記載の端末。
【請求項２８】
前記端末（１００１）は、サービングセルから前記少なくとも１つのＭＢＭＳを受信する受信機（１００４）を備えていることを特徴とする請求項２５又は２６に記載の端末。
【請求項２９】
前記情報要素は、ロングタームエボリューション（ＬＴＥ）のＳｕｐｐｏｒｔｅｄＢａｎｄＣｏｍｂｉｎａｔｉｏｎ  ＩＥであることを特徴とする請求項２５から２８のいずれか１項に記載の端末。
【請求項３０】
前記端末（１００１）は、前記情報要素に従いサービングセルとして設定可能な任意のキャリアでのＭＢＭＳの受信を前記端末（１００１）がサポートすることを、前記基地局（９０１）に明示的に表示する様に構成されていることを特徴とする請求項２５から２９のいずれか１項に記載の端末。